(57)【要約】【課題】一の記録媒体に記録済みのコンテンツデータを他の記録媒体にダビングさせる際の操作性が向上した情報記録装置を提供する。【解決手段】ＨＤＤ内蔵ＤＶＤレコーダ１００において、抽出手段（ＣＰＵ１４２、抽出プログラム１４５ａ等）はダビングの候補となるコンテンツデータから当該コンテンツデータを識別する複数の識別情報を抽出し、表示制御手段（ＣＰＵ１４２、リスト表示プログラム１４５ｅ等）は抽出手段により抽出された複数の識別情報から成るコンテンツデータ識別情報を表示手段（表示画面２００ａ）に一覧リストとして表示する。さらに、ソート条件設定手段（ＣＰＵ１４２、ソート条件設定プログラム１４５ｃ等）は当該一覧リストをソートするためのソート条件としての識別情報を設定し、ソート手段（ＣＰＵ１４２、ソートプログラム１４５ｄ等）は当該ソート条件に従って一覧リストをソートする。【選択図】図１
2007220253.tif 000002
【特許請求の範囲】
【請求項１】
コンテンツデータを装置本体に内蔵された第１の記録媒体又は前記装置本体に着脱可能な第２の記録媒体に記録する情報記録装置において、
前記第１の記録媒体に記録したコンテンツデータを、前記第２の記録媒体にダビングするダビング手段と、
前記ダビング手段によるダビングの候補となるコンテンツデータから当該コンテンツデータを識別する複数の識別情報を抽出する抽出手段と、
前記抽出手段により抽出された前記複数の識別情報から成るコンテンツデータ識別情報を、一覧リストにして表示手段に表示させる表示制御手段と、
前記表示手段に表示された前記一覧リストの前記コンテンツデータ識別情報の中から、ダビングするコンテンツデータを選択する選択手段と、
前記一覧リストをソートするための識別情報を前記複数の識別情報の中から指定して、ソート条件を設定するソート条件設定手段と、
前記ソート条件設定手段により設定された前記ソート条件に従って、前記一覧リストをソートするソート手段と、
を備え、
前記表示制御手段は、前記ソート手段によりソートされた前記一覧リストのうち、前記ソート条件設定手段により前記ソート条件として設定された前記識別情報のうち少なくとも一つが同一のコンテンツデータ識別情報同士をグループ化して前記表示手段に表示し、
前記選択手段は、前記表示手段に表示されたグループの一を選択することにより、当該一のグループに含まれるコンテンツデータを一括して選択可能に構成されており、
前記ソート条件設定手段は、複数の識別情報を前記ソート条件として指定可能であるとともに、複数の識別情報が指定された場合に当該指定された複数の識別情報のソート順番を設定可能であることを特徴とする情報記録装置。
【請求項２】
記録媒体にコンテンツデータを記録する情報記録装置において、
第１の記録媒体に記録したコンテンツデータを、第２の記録媒体にダビングするダビング手段と、
前記ダビング手段によるダビングの候補となるコンテンツデータから当該コンテンツデータを識別する複数の識別情報を抽出する抽出手段と、
前記抽出手段により抽出された前記複数の識別情報から成るコンテンツデータ識別情報を、一覧リストにして表示手段に表示させる表示制御手段と、
前記表示手段に表示された前記一覧リストの前記コンテンツデータ識別情報の中から、ダビングするコンテンツデータを選択する選択手段と、
前記一覧リストをソートするための識別情報を前記複数の識別情報の中から指定して、ソート条件を設定するソート条件設定手段と、
前記ソート条件設定手段により設定された前記ソート条件に従って、前記一覧リストをソートするソート手段と、
を備えることを特徴とする情報記録装置。
【請求項３】
前記表示制御手段は、前記ソート手段によりソートされた前記一覧リストのうち、前記ソート条件設定手段により前記ソート条件として設定された前記識別情報のうち少なくとも一つが同一のコンテンツデータ識別情報同士をグループ化して前記表示手段に表示し、
前記選択手段は、前記表示手段に表示されたグループの一を選択することにより、当該一のグループに含まれるコンテンツデータを一括して選択可能に構成されていることを特徴とする請求項２に記載の情報記録装置。
【請求項４】
前記ソート条件設定手段は、複数の識別情報を前記ソート条件として指定可能であるとともに、複数の識別情報が指定された場合に当該指定された複数の識別情報のソート順番を設定可能であることを特徴とする請求項２又は３に記載の情報記録装置。  
【発明の詳細な説明】
【技術分野】
【０００１】
本発明は、記録媒体に対してコンテンツデータの記録を行う情報記録装置に関する。
【背景技術】
【０００２】
従来、ＨＤＤ内蔵ＤＶＤレコーダ等の情報記録装置において、ＨＤＤに記録済みのデータを別の記録媒体（例えば、ＤＶＤ）に移動させる際に、ユーザは、タイトル名や録画日時等のコンテンツデータの識別情報が記録された順に表示された一覧表示から、所望の番組データを見つけ出さなければならず、時間がかかって操作性が悪いという問題があった。
【０００３】
ところで、コンテンツデータの選択操作性を向上させる技術として、例えば、特許文献１には、タイトル抽出部で抽出したタイトル情報の中から、タイトル名が異なるタイトル情報のみを列挙してタイトルリストを生成するタイトルリスト作成部を備え、録画された番組のタイトルリストを表示する際に、同一タイトル名のタイトルがまとめて表示される記録再生装置が開示されている。
また、特許文献２には、記録媒体に記録されている複数の番組から所望の一つの番組が選択されると、選択された番組のチャンネル、記録開始時間及び曜日のデータを読み取り、他の複数の番組の中からチャンネル及び記録開始時間が同じ番組（コンテンツデータ）を抽出し、抽出された番組を日付の古いものから順に番号を付けて並び替えることにより、記録媒体に記録されている複数の番組の中から関連する番組だけを簡単に選び出すことができる記録再生装置が開示されている。
さらに、特許文献３には、記録媒体に記録された識別信号（識別情報）を読み出し、読み出された識別信号（識別情報）を並換えて、並換え順に識別信号（識別情報）を表示或いは再生し、さらに、記録中の映像信号が存在する場合には、当該映像信号の記録が終了次第並換え順に再生することにより、映像信号を同時に記録再生でき、使い勝手の向上が図られた映像記録再生装置及び映像信号記録再生方法が開示されている。
【特許文献１】特開２００４−１３３９８４号公報
【特許文献２】特開２００４−６２９２１号公報
【特許文献３】特開２００２−３４０００号公報
【発明の開示】
【発明が解決しようとする課題】
【０００４】
しかしながら、特許文献１〜３に記載された、記憶媒体に記憶されたタイトルリスト、番組、識別情報の並び替えに関する技術は、記録済みのコンテンツデータを再生する場合に用いられる技術であり、ダビングをするコンテンツデータを選択する場合に、ダビング対象となるコンテンツデータの一覧リストを並び替えるものはなく、ダビング時の操作性が悪いという問題があった。
【０００５】
本発明は、上記課題に鑑みてなされたものであり、一の記録媒体に記録済みのコンテンツデータを他の記録媒体にダビングさせる際の操作性が向上した情報記録装置を提供することである。
【課題を解決するための手段】
【０００６】
上記課題を解決するため、請求項１に記載の発明は、コンテンツデータを装置本体に内蔵された第１の記録媒体又は前記装置本体に着脱可能な第２の記録媒体に記録する情報記録装置において、
前記第１の記録媒体に記録したコンテンツデータを、前記第２の記録媒体にダビングするダビング手段と、
前記ダビング手段によるダビングの候補となるコンテンツデータから当該コンテンツデータを識別する複数の識別情報を抽出する抽出手段と、
前記抽出手段により抽出された前記複数の識別情報から成るコンテンツデータ識別情報を、一覧リストにして表示手段に表示させる表示制御手段と、
前記表示手段に表示された前記一覧リストの前記コンテンツデータ識別情報の中から、ダビングするコンテンツデータを選択する選択手段と、
前記一覧リストをソートするための識別情報を前記複数の識別情報の中から指定して、ソート条件を設定するソート条件設定手段と、
前記ソート条件設定手段により設定された前記ソート条件に従って、前記一覧リストをソートするソート手段と、
を備え、
前記表示制御手段は、前記ソート手段によりソートされた前記一覧リストのうち、前記ソート条件設定手段により前記ソート条件として設定された前記識別情報のうち少なくとも一つが同一のコンテンツデータ識別情報同士をグループ化して前記表示手段に表示し、
前記選択手段は、前記表示手段に表示されたグループの一を選択することにより、当該一のグループに含まれるコンテンツデータを一括して選択可能に構成されており、
前記ソート条件設定手段は、複数の識別情報を前記ソート条件として指定可能であるとともに、複数の識別情報が指定された場合に当該指定された複数の識別情報のソート順番を設定可能であることを特徴とする。
【０００７】
請求項２に記載の発明は、記録媒体にコンテンツデータを記録する情報記録装置において、
第１の記録媒体に記録したコンテンツデータを、第２の記録媒体にダビングするダビング手段と、
前記ダビング手段によるダビングの候補となるコンテンツデータから当該コンテンツデータを識別する複数の識別情報を抽出する抽出手段と、
前記抽出手段により抽出された前記複数の識別情報から成るコンテンツデータ識別情報を、一覧リストにして表示手段に表示させる表示制御手段と、
前記表示手段に表示された前記一覧リストの前記コンテンツデータ識別情報の中から、ダビングするコンテンツデータを選択する選択手段と、
前記一覧リストをソートするための識別情報を前記複数の識別情報の中から指定して、ソート条件を設定するソート条件設定手段と、
前記ソート条件設定手段により設定された前記ソート条件に従って、前記一覧リストをソートするソート手段と、
を備えることを特徴とする。
【０００８】
請求項３に記載の発明は、請求項２に記載の情報記録装置において、前記表示制御手段は、前記ソート手段によりソートされた前記一覧リストのうち、前記ソート条件設定手段により前記ソート条件として設定された前記識別情報のうち少なくとも一つが同一のコンテンツデータ識別情報同士をグループ化して前記表示手段に表示し、
前記選択手段は、前記表示手段に表示されたグループの一を選択することにより、当該一のグループに含まれるコンテンツデータを一括して選択可能に構成されていることを特徴とする。
【０００９】
請求項４に記載の発明は、請求項２又は３に記載の情報記録装置において、前記ソート条件設定手段は、複数の識別情報を前記ソート条件として指定可能であるとともに、複数の識別情報が指定された場合に当該指定された複数の識別情報のソート順番を設定可能であることを特徴とする。
【発明の効果】
【００１０】
請求項１に記載の発明によれば、情報記録装置において、抽出手段は、ダビングの候補となるコンテンツデータから当該コンテンツデータを識別する複数の識別情報を抽出し、表示制御手段は、当該抽出手段により抽出された複数の識別情報から成るコンテンツデータ識別情報を表示手段に一覧リストとして表示する。また、ソート条件設定手段は、当該一覧リストをソートするためのソート条件としての識別情報及びソート順番を設定し、ソート手段は、当該ソート条件に従って一覧リストをソートする。さらに、表示制御手段は、一覧リストのうち、ソート条件設定手段によりソート手段として設定された識別情報のうち少なくとも一つが同一のコンテンツデータ識別情報同士をグループ化して表示手段により表示させ、選択手段は、当該グループの一を選択することにより、当該一のグループに含まれるコンテンツデータを一括して選択可能に構成されている。
従って、ユーザは、ダビングするコンテンツデータの内容に応じて、一覧リストをより適切な順序に並び替えることにより、所望のコンテンツデータを見つけ出すことが容易になるとともに、グループを選択することにより、ダビングするコンテンツデータをより容易に選択することが可能となって、一の記録媒体に記録済みのコンテンツデータを他の記録媒体にダビングさせる際に、所望のコンテンツデータを選択する作業を容易に行え、操作性が向上した情報記録装置を提供することができる。
【００１１】
請求項２に記載の発明によれば、情報記録装置において、抽出手段は、ダビングの候補となるコンテンツデータから当該コンテンツデータを識別する複数の識別情報を抽出し、表示制御手段は、当該抽出手段により抽出された複数の識別情報から成るコンテンツデータ識別情報を表示手段に一覧リストとして表示する。さらに、ソート条件設定手段は、当該一覧リストをソートするためのソート条件としての識別情報を設定し、ソート手段は、当該ソート条件に従って、一覧リストをソートする。従って、ユーザは、ダビングするコンテンツデータの内容に応じて一覧リストを適切な順序に並び替えることにより、所望のコンテンツデータを選択する作業を容易に行えることとなって、一の記録媒体に記録済みのコンテンツデータを他の記録媒体にダビングさせる際の操作性が向上した情報記録装置を提供することができる。
【００１２】
請求項３に記載の発明によれば、請求項２に記載の発明の効果が得られるのは無論のこと、表示制御手段は、一覧リストのうち、ソート条件設定手段によりソート手段として設定された識別情報のうち少なくとも一つが同一のコンテンツデータ識別情報同士をグループ化して表示手段により表示し、選択手段は、当該グループの一を選択することにより、当該一のグループに含まれるコンテンツデータを一括して選択可能に構成されているので、ユーザは、グループを参照することにより所望のコンテンツデータをより見つけやすくなるとともに、グループを選択することにより、ダビングするコンテンツデータをより容易に選択することが可能となって、情報記録装置において、一の記録媒体に記録済みのコンテンツデータを他の記録媒体にダビングさせる際の操作性をより向上させることができる。
【００１３】
請求項４に記載の発明によれば、請求項２又は３に記載の発明の効果が得られるのは無論のこと、ソート条件設定手段は、複数の識別情報をソート条件として設定可能であるとともに、複数の識別情報が指定された場合に当該指定された複数の識別情報のソート順番を設定可能であるので、ユーザは、ダビングの候補となるコンテンツデータの内容に応じて、一覧リストをより適切な順序に並び替えることが可能となって、一覧リストにおいて所望のコンテンツデータ識別情報がより選択しやすくなる。
【発明を実施するための最良の形態】
【００１４】
以下、図面を参照しながら、本発明の実施の形態を詳細に説明する。
【００１５】
本実施の形態では、情報記録装置として、装置本体１に内蔵された第１の記録媒体としてのハードディスク（Hard Disc）８１と、着脱可能な第２の記録媒体としてのＤＶＤ（Digital Versatile Disc）９１とに対して、コンテンツデータの記録を行うＨＤＤ（Hard  Disk  Drive）内蔵ＤＶＤレコーダ１００を例に挙げて説明する。
しかしながら、記録媒体及び情報記録装置はこれらに限られることなく、例えば、ハードディスク８１以外の磁気ディスクや、ＤＶＤ９１以外の光ディスク、光磁気ディスク、磁気テープ或いは半導体メモリ等の他の記録媒体であっても良く、また、これら他の記録媒体に記録を行う情報記録装置であっても良い。
【００１６】
まず、図１を参照しながら、装置全体の構成について説明する。
本実施形態のＨＤＤ内蔵ＤＶＤレコーダ１００は、例えば、映像・音声データ等から成るコンテンツデータを、ハードディスク８１又はＤＶＤ９１に記録及びダビングするとともに、ハードディスク８１或いはＤＶＤ９１に記録されたコンテンツデータの再生を行う装置本体１と、ユーザが各種指示を入力するための選択手段としてのキー入力部２と、を備えて構成されている。当該キー入力部２は、例えば装置本体１に対して遠隔操作を行うリモートコントロール装置（以下、リモコンという）である。
【００１７】
本ＨＤＤ内蔵ＤＶＤレコーダ１００は、例えば、記録、再生及びダビング等の処理が可能であり、キー入力部２の操作に応じて、それぞれの処理が選択されて実行されることとなる。
ここで、記録処理とは、外部より送信されたコンテンツデータを受信し、当該受信したコンテンツデータを、ハードディスク８１或いはＤＶＤ９１に記録させる処理を指す。
また、再生処理とは、ハードディスク８１又はＤＶＤ９１に記録されたコンテンツデータを再生し、外部入力端子（図示省略）を介して本ＨＤＤ内蔵ＤＶＤレコーダ１００に接続されたテレビジョン受像機２００等の外部装置に出力する処理を指す。
さらに、ダビング処理とは、一方の記録媒体（すなわち、ハードディスク８１又はＤＶＤ９１）に記録されたデータを、他方の記録媒体（すなわち、ＤＶＤ９１又はハードディスク８１）へ転送させ、記憶させる処理を指す。ハードディスク８１又はＤＶＤ９１に記録されたデータは、当該ダビング処理により、読み出されて、データの記録形式が異なる場合にはもう一方の記録媒体に記録可能な形式に再度符号化された上で、記録されることとなる。
なお、本実施形態では、特に、ハードディスク８１に記録されたコンテンツデータを、ＤＶＤ９１に記録させるダビング処理に際して、ユーザがダビングするコンテンツデータを選択する場合についての説明を行う。装置本体１に内蔵されたハードディスク８１は、例えば、１６０ＧＢ等の大容量の記憶領域を有しており、ユーザは、当該ハードディスク８１にテレビジョン放送番組等のコンテンツデータを多数録り貯めた後に、それらの中からＤＶＤ９１に保存したいコンテンツデータを選択してダビング処理の実行を指示することにより、ＤＶＤ９１に所望のコンテンツデータのみを保存して残すことができる。
【００１８】
次に、ＨＤＤ内蔵ＤＶＤレコーダ１００を構成する装置本体１の要部構成について説明する。
装置本体１は、放送信号を受信して、当該放送信号のうちから所定の放送チャンネルの放送信号を選局するチューナ部３と、チューナ部３から出力されたコンテンツデータである放送信号を構成する映像データから同期信号を分離する分離部４と、分離部４から入力されたコンテンツデータ或いはハードディスク８１・ＤＶＤ９１に記録されたコンテンツデータから、当該コンテンツデータを識別する複数の識別情報を抽出する抽出部５と、抽出部５から入力されたコンテンツデータに対して所定の圧縮処理を行うエンコーダ６と、コンテンツデータの入出力経路を設定して、エンコーダ６から入力されたコンテンツデータをＨＤＤ部８或いはＤＶＤドライブ部９に供給するとともに、ＨＤＤ部８／ＤＶＤドライブ部９から取り込んだコンテンツデータをＤＶＤドライブ部９／ＨＤＤ部８或いは後段の各部に出力するデータプロセッサ７と、装置本体１に内蔵されたハードディスク８１に対してコンテンツデータの記録及び再生を行うＨＤＤ部８と、装置本体１から着脱可能なＤＶＤ９１に対してコンテンツデータの記録及び再生を行うＤＶＤドライブ部９と、ＨＤＤ部８及びＤＶＤドライブ部９から出力されたコンテンツデータに所定の伸張処理を行うデコーダ１０と、デコーダ１０から出力されたコンテンツデータに対して所定の信号出力処理を行う出力インターフェース部１１と、映像データに対してＯＳＤデータを付加するＯＳＤ（On-Screen Character Display）回路１２と、キー入力部２からの入力操作信号を受信するとともに、当該入力操作信号を制御部１４に出力するリモコン信号受光部１３と、装置本体１全体を統括制御する制御部１４と、各部を接続する制御バス１５と、等を備えて構成されている。
【００１９】
チューナ部３は、例えば、図示は省略するが、高周波増幅回路と、局部発振回路及び混合回路から成る周波数変換回路と、を備えて構成されている。チューナ部３は、記録処理において、装置本体１に接続されたアンテナ（図示省略）等により、装置本体１に入力されたテレビジョン放送信号と、局部発振回路から出力される局部発振信号とを混合回路により混合し、当該放送信号の周波数を選局するための制御部１４からの制御出力に応じて、特定周波数帯の放送信号を受信する。そして当該受信した放送信号を所定の中間周波数を有するＩＦ（中間周波：Intermediate Frequency）信号に変換して、分離部４に出力する。
【００２０】
分離部４は、例えば、チューナ部３より入力されたコンテンツデータであるＩＦ信号を構成する映像データから、同期信号を分離して後段の各部に出力する。当該同期信号に基づいて、ＨＤＤ部８及びＤＶＤドライブ部９において、ハードディスク８１又はＤＶＤ９１に対してコンテンツデータの記録、再生及びダビング等が行われる際の同期がとられることとなる。
【００２１】
抽出部５は、例えば、ＣＰＵ１４２からの制御出力に基づいて、分離部４より入力されたコンテンツデータから、当該コンテンツデータを識別する複数の識別情報を抽出するとともに、ハードディスク８１及びＤＶＤ９１に記録されたコンテンツデータを識別する複数の識別情報を抽出する。
具体的には、抽出部５は、例えば、放送番組データ等のコンテンツデータ毎に「記録日」「曜日」「記録開始時刻」「放送チャンネル」「ジャンル」「放送番組名」等の当該コンテンツデータを識別する複数の識別情報をそれぞれ抽出し、抽出した複数の識別情報を制御部１４に対して出力する。
当該抽出部５において抽出された識別情報のうち、ハードディスク８１に対して記憶されるコンテンツデータを識別する識別情報に基づいて、後述する識別情報格納テーブル１４４２ａの更新が行われることとなる。
【００２２】
エンコーダ６は、例えば、図示は省略するが、Ａ／Ｄ変換器と、ビデオエンコーダと、オーディオエンコーダと、フォーマット部と、等を備えて構成されている。
Ａ／Ｄ変換器は、抽出部５より入力されたコンテンツデータがアナログデータである場合に、当該アナログのコンテンツデータをデジタル変換する。また、例えば、ビデオエンコーダは、コンテンツデータを構成する映像データをＭＰＥＧ（Moving Picture Experts Group）方式に従って圧縮し、オーディオエンコーダは、コンテンツデータを構成する音声データをＭＰＥＧオーディオ方式に従って圧縮する。さらに、フォーマット部は、ＣＰＵ１４２からの制御出力に基づいて、映像・音声データ等から成るコンテンツデータを、ＤＶＤドライブ部９においてＤＶＤ９１に書き込み可能なフォーマット形式或いはＨＤＤ部８においてハードディスク８１に書き込み可能な所定のフォーマット形式に変換する。
なお、エンコーダ６は、ダビング処理の実行において、記録媒体同士のフォーマット形式が異なる場合には、デコーダ１０により一旦伸張されたコンテンツデータを再エンコードする処理を行い、記録可能な所定のフォーマット形式に変換する処理を行う。
当該エンコーダ６において生成されたコンテンツデータは、データプロセッサ７を介してＤＶＤドライブ部９或いはＨＤＤ部８に出力されることとなる。
【００２３】
データプロセッサ７は、例えば、ＣＰＵ１４２からの制御出力に基づいて、コンテンツデータの入出力経路を設定し、データの入力及び出力を制御する。
具体的には、例えば、記録処理において、ユーザのキー入力部２の操作によりハードディスク８１に対する記録の指示がなされた場合には、エンコーダ６から入力されたコンテンツデータをＨＤＤ部８に出力し、一方、ユーザによりＤＶＤ９１に対する記録の指示がなされた場合には、エンコーダ６から入力されたコンテンツデータを、ＤＶＤドライブ部９に出力する。
また、例えば、ダビング処理において、ユーザのキー入力部２の操作によりハードディスク８１に記録されたコンテンツデータをＤＶＤ９１にダビングする指示がなされた場合には、ＨＤＤ部８からコンテンツデータを取り込んで、フォーマット形式が同じ場合にはそのままＤＶＤドライブ部９に対して出力するとともに、フォーマット形式が異なる場合には、一旦デコーダ１０及びエンコーダ６において再エンコード処理を行わせた後に、ＤＶＤドライブ部９に対して出力する。
【００２４】
ＨＤＤ部８は、例えば、ＡＴＡ（AT Attachment）規格を採用しており、内蔵されたハードディスク８１と、ハードディスク８１に対するデータの記録或いはハードディスク８１に記録されたデータの読み出しを行う磁気ヘッド８２と、ハードディスク８１を回転駆動させるとともに、磁気ヘッド８２をハードディスク８１の半径方向に移動させるための駆動部８３と、等を備えて構成されている。ハードディスク８１は、非磁性体のディスク基板（図示省略）と、その上に設けられた磁性層（図示省略）と、を備えて成り、磁気ヘッド８２とハードディスク８１との間に、電流を供給することにより磁界を発生する微小なギャップを有している。
当該ＨＤＤ部８では、記録処理及びダビング処理において、磁気ヘッド８２をハードディスク８１の表面に限りなく接触させて相対速度を与え、磁気ヘッド８２に与えられた電流により発生する磁場により、ハードディスク８１に対するデータの書き込みを行う。一方、再生処理及びダビング処理において、磁気ヘッド８２とハードディスク８１の間で相対速度を与えることによってハードディスク８１から発生する磁束の変化により、ハードディスク８１に記録されたデータの読み出しを行う。
【００２５】
ＤＶＤドライブ部９は、例えば、ＤＶＤドライブ部９に対して着脱自在なＤＶＤ９１と、ＤＶＤ９１に対するデータの記録及びＤＶＤ９１に記録されたデータの読み出しを行う光ピックアップ９２と、装填されたＤＶＤ９１を回転駆動させるとともに光ピックアップ９２をＤＶＤ９１の半径方向に移動させるための駆動部９３と、等を備えている。
具体的には、ＤＶＤ９１は、ＤＶＤ−Ｒ（DVD-Recordable）等の追記型ディスクや、ＤＶＤ−ＲＷ（DVD-ReWritable）、ＤＶＤ−ＲＡＭ（DVD-Random Access Memory）等の書き換え可能なディスクであり、ディスク基盤（図示省略）と、レーザ光の照射による加熱で結晶構造が変化する物質によって形成された記録層（図示省略）と、レーザ光を反射するための反射層（図示省略）と、等を備えて成る。
当該ＤＶＤドライブ部９では、記録処理及びダビング処理において、光ピックアップ９２により、ＤＶＤ９１の反射層にレーザ光を照射し、反射光による加熱により記録層の結晶構造を変化させてピットを形成することにより、ＤＶＤ９１に対するデータの書き込みを行う。一方、再生処理及びダビング処理において、光ピックアップ９２によりＤＶＤ９１の反射層にレーザ光を照射し、光電変換及び電流電圧変換によって反射光に応じた電圧信号を生成することにより、ＤＶＤ９１に記録されたデータの読み出しを行う。
【００２６】
デコーダ１０は、例えば、図示は省略するが、セパレート部と、ビデオデコーダと、オーディオデコーダと、等を備えて構成されている。
セパレート部は、ＨＤＤ部８又はＤＶＤドライブ部９からデータプロセッサ７を介して出力されたコンテンツデータを映像データ、音声データ、副映像データ等の複数のデータに分離する。また、ビデオデコーダは、セパレート部において分離された映像データを、ＭＰＥＧ方式に従って伸張し、オーディオデコーダは、セパレート部において分離された音声データをＭＰＥＧオーディオ方式に従って伸張する。
当該デコーダ１０において生成されたコンテンツデータは、再生処理においては出力インターフェース部１１に出力され、ダビング処理においてはエンコーダ６に出力されることとなる。
【００２７】
出力インターフェース部１１は、例えば、図示しないＤ／Ａ変換器等を備え、再生処理においてデコーダ１０から入力されるコンテンツデータに対して各種の出力インターフェース処理を施し、ＮＴＳＣ方式やＰＡＬ方式等のテレビジョン受像機２００に適合した映像・音声データに変換する。具体的には、Ｄ／Ａ変換器は、出力がアナログである場合に、デコーダ１０より入力されたデジタルのコンテンツデータをアナログデータに変換する。
当該出力インターフェースにおいて生成されたコンテンツデータは、装置本体１に接続されたテレビジョン受像機２００の図示しないディスプレイ、スピーカ等に出力されることとなる。
【００２８】
ＯＳＤ回路１２は、コンテンツデータを構成する映像データに対して、ＲＯＭ１４５に格納された図示しないＯＳＤデータを合成する処理を行う。
【００２９】
リモコン信号受光部１３は、リモコン等のキー入力部２に備わる各種キーがユーザにより押下操作されることにより出力された赤外線等の入力操作信号を受信し、増幅、検波、誤り訂正等の処理を施して、当該入力操作信号を制御部１４に対して出力する。
【００３０】
制御部１４は、I／Ｏ（Input/Output）ポート１４１と、ＣＰＵ（Central Processing Unit）１４２と、計時部１４３と、メモリ部１４３と、ＲＯＭ（Read Only Memory）１４５と、等を備えて構成されている。
【００３１】
ＣＰＵ１４２は、装置本体１の各部からI／Ｏポート１４１を介して入力された入力信号及びキー入力部２の各種キーの押下操作によってリモコン信号受光部１３及びI／Ｏポート１４１を介して入力された入力操作信号等に応じて、ＲＯＭ１４５に格納された各種プログラムを実行するとともに、実行にかかるプログラムに基づいてI／Ｏポート１４１を介して各部に出力信号を出力することによって、ＨＤＤ内蔵ＤＶＤレコーダ１００の動作全般を統括制御する。
【００３２】
計時部１４３は、例えば、現在時刻を計時しており、ＣＰＵ１４２からの制御出力に応じて、計時した現在時刻データを、ＣＰＵ１４２に対して出力する。
【００３３】
メモリ部１４３は、例えば、ＲＡＭ（Random Access Memory）等の揮発性メモリからなるワークエリア１４４１を備え、ＣＰＵ１４２によって各種プログラムが実行される際に生じる処理結果や、入力されたデータ等を当該ワークエリア１４４１に記憶する。
また、メモリ部１４３は、ＥＰＲＯＭ（Erasable Programmable ROM）等の不揮発性メモリからなるデータエリア１４４２を備え、当該データエリア１４４２は、抽出部５により抽出されたハードディスク８１のコンテンツデータを識別する識別情報が格納された識別情報格納テーブル１４４２ａを格納している。当該識別情報格納テーブル１４４２ａには、「記録日」「曜日」「記録開始時刻」「放送チャンネル」「ジャンル」「放送番組名」等のコンテンツデータを識別する複数の識別情報が、各々のコンテンツデータ毎に格納されている。そして、抽出部５から抽出した識別情報に基づくＣＰＵ１４２による制御出力に基づいて、当該識別情報格納テーブル１４４２ａのデータが、ハードディスク８１に格納されたコンテンツデータを識別する識別情報と一致するように随時更新されることとなる。
【００３４】
ＲＯＭ１４５は、例えば、記録制御プログラム１４５ａ、抽出プログラム１４５ｂ、ソート条件設定プログラム１４５ｃ、ソートプログラム１４５ｄ、リスト表示プログラム１４５ｅ、記録データ選択プログラム１４５ｆ、ダビング制御プログラム１４５ｇ等の各種プログラムを備えて構成されている。
【００３５】
記録制御プログラム１４５ａは、例えば、ＣＰＵ１４２に、ハードディスク８１或いはＤＶＤ９１に対して外部より受信したコンテンツデータの記録を実行させる機能を実現させるプログラムである。
具体的には、ＣＰＵ１４２は、当該記録制御プログラム１４５ａの実行により、テレビジョン放送局等から送信された放送番組データ等のコンテンツデータを受信すると、受信したコンテンツデータに対して、チューナ部３、分離部４、抽出部５、エンコーダ６等において上述した各種の処理を施して、ユーザのキー入力部２の操作により出力されたハードディスク８１／ＤＶＤ９１への記録の指示に応じて、データプロセッサ７においてデータの入出力経路を設定し、ＨＤＤ部８或いはＤＶＤドライブ部９に当該コンテンツデータを出力して、ハードディスク８１或いはＤＶＤ９１に対するコンテンツデータの記録を行う。
【００３６】
抽出プログラム１４５ｂは、例えば、ＣＰＵ１４２に、ダビングの候補となるコンテンツデータから、当該コンテンツデータを識別する複数の識別情報を抽出する機能を実現するためのプログラムである。
具体的には、ＣＰＵ１４２は、抽出部５に入力され、ハードディスク８１に記録されるコンテンツデータと、ハードディスク８１及びＤＶＤ９１に記録されたコンテンツデータとから、「記録日」「曜日」「記録開始時刻」「放送チャンネル」「ジャンル」「放送番組名」等のコンテンツデータを識別するための複数の識別情報をコンテンツデータ毎に抽出し、制御部１４に対して出力する。特に、ハードディスク８１に記録される或いは記録されたコンテンツデータの識別情報に基づいて、識別情報格納テーブル１４４２ａに格納された識別情報が追加、変更、削除等されることとなる。ＣＰＵ１４２は、ハードディスク８１に記録されたコンテンツデータの識別情報を所定のタイミングで（例えば、装置本体１の起動時等に）抽出することにより、識別情報格納テーブル１４４２ａの内容を、常にハードディスク８１に記録されたコンテンツデータの内容と一致させている。
ＣＰＵ１４２は、かかる抽出プログラム１４５ｂを実行することにより、抽出部５とともに抽出手段を構成する。
【００３７】
ソート条件設定プログラム１４５ｃは、例えば、ＣＰＵ１４２に、リスト表示プログラム１４５ｅの実行により表示画面（表示手段）２００ａに表示される一覧リストをソートするための識別情報を複数の識別情報から指定して、ソート条件を設定する機能を実現するためのプログラムである。
具体的には、ＣＰＵ１４２は、ユーザによるリモコン等のキー入力部２の操作により、ソート条件を設定するためのソート条件設定画面の表示を要求する入力操作信号が、リモコン信号受光部１３を介して制御部１４に入力されると、当該ソート条件設定プログラム１４５ｃの実行により、装置本体１に接続されたテレビジョン受像機２００等に備わる表示画面２００ａに、ソート条件を設定するためのソート条件設定画面を表示させる。当該ソート条件設定画面において、ユーザのキー入力部２の操作に基づいて設定された識別情報のソート順番に基づいて、後述するソートプログラム１４５ｄが実行されることとなる。
かかるソート条件設定プログラム１４５ｃを実行することにより、ＣＰＵ１４２は、ソート条件設定手段として機能する。
【００３８】
ここで、当該ソート条件設定プログラム１４５ｃについて、図２を用いてより具体的に説明する。図２は、ＣＰＵ１４２によるソート条件設定プログラム１４５ｃの実行により、装置本体１に接続されたテレビジョン受像機２００の表示画面２００ａに表示されたソート条件設定画面を例示する図である。
ＣＰＵ１４２は、ユーザによるキー入力部２に備わるキー（図示省略）の押下操作により、ソート条件を設定するためのソート条件設定画面の表示を要求する入力操作信号が、リモコン信号受光部１３を介して制御部１４に入力されると、当該要求に応じて、ＯＳＤ回路１２において映像データにＯＳＤデータを付加させ、後段の各部を介してテレビジョン受像機２００に出力させることにより、ソート条件設定画面を表示画面２００ａに表示させる。当該ソート条件設定画面は、複数のソート条件を識別情報のうちから順位付けて設定できるようになっており、例えば図２に示すように、第１ソート条件〜第３ソート条件のそれぞれを、「記録日」「曜日」「記録開始時刻」「放送チャンネル」「ジャンル」「放送番組名」等の複数の識別情報から指定することにより、設定できるようになっている。
さらに、それぞれのソート条件は、昇順／降順を指定できるようになっており、例えば、「ジャンル」が昇順で設定された場合には、コンテンツデータ識別情報が、「映画」「スポーツ」「ドラマ」「ニュース」「バラエティー」等のように、五十音順のジャンル別に並び替えられることとなる。
また、このソート条件設定画面では、ソート機能の有効／無効とを選択できるようになっており、さらに、ソート機能の有効が選択された場合にはグループ機能の有効／無効とを選択できるようになっている。
【００３９】
ソートプログラム１４５ｄは、例えば、ＣＰＵ１４２に、ソート条件設定プログラム１４５ｃの実行により設定された識別情報のソート条件に従って、リスト表示プログラム１４５ｅの実行により表示画面２００ａに表示された一覧リストをソートする機能を実現するプログラムである。
具体的には、ＣＰＵ１４２は、ソート条件設定プログラム１４５ｃの実行により表示画面２００ａに表示されたソート条件設定画面において、ソート機能の有効が設定された場合に、ユーザによるリモコン等のキー入力部２の操作により、ハードディスク８１に記録されたコンテンツデータを示す一覧リストの表示を要求する入力操作信号が、リモコン信号受光部１３を介して入力されると、当該リスト表示プログラム１４５ｅの実行により、識別情報格納テーブル１４４２ａから、ハードディスク８１に記録された各コンテンツデータを識別する識別情報を取り込む。そして、当該取り込んだコンテンツデータを識別する識別情報を、ソート条件設定プログラム１４５ｃの実行により選択された識別情報のソート順番で順にソートする。なお、ＣＰＵ１４２は、前述のソート条件設定プログラム１４５ｃの実行によるソート条件設定画面においてソート機能の無効が選択された場合には、当該ソートプログラム１４５ｄに基づくソート処理を行わないこととなる。
【００４０】
例えば、ソート条件設定画面において、ソート機能の有効が選択され、第１ソート条件が「ジャンル」（昇順）、第２ソート条件が「記録開始時刻」（昇順）、第３ソート条件が「記録日」（昇順）として設定された場合に、ＣＰＵ１４２は、まず初めに、リスト表示プログラム１４５ｅの実行において表示画面２００ａに一覧リストとして表示される全コンテンツデータ識別情報を「映画」「スポーツ」「ドラマ」「ニュース」「バラエティー」等のように、ジャンル別に並び替える。次に、ＣＰＵ１４２は、ジャンル別に分類されたコンテンツデータ識別情報を、それぞれ記録開始時刻を基準に並び替える。さらに、記録開始時刻が同一であるものを、それぞれ記録日を基準に並び替える。
ＣＰＵ１４２は、かかるソートプログラム１４５ｄを実行することにより、ソート手段として機能する。
【００４１】
リスト表示プログラム１４５ｅは、例えば、ＣＰＵ１４２に、抽出プログラム１４５ｂの実行により抽出された複数の識別情報から成るコンテンツデータ識別情報を、一覧リストにして表示画面２００ａに表示させる機能を実現させるプログラムである。また、当該リスト表示プログラム１４５ｅは、ソートプログラム１４５ｄの実行によりソートされた一覧リストのうち、ソート条件設定プログラム１４５ｃによりソート条件として設定された識別情報の少なくとも一つが同一のコンテンツデータ識別情報同士をグループ化して表示画面２００ａに表示させる機能を実現させるためのプログラムである。
具体的には、ＣＰＵ１４２は、ソート条件設定プログラム１４５ｃの実行により表示画面２００ａに表示されたソート条件設定画面において、ユーザによるソート機能の無効が設定された場合に、ユーザによるリモコン等のキー入力部２の操作により、ハードディスク８１に記録されたコンテンツデータに関するコンテンツデータ識別情報のリスト表示を要求する入力操作信号が、リモコン信号受光部１３を介して入力されると、当該リスト表示プログラム１４５ｅの実行により、識別情報格納テーブル１４４２ａから、ハードディスク８１に記録されたそれぞれのコンテンツデータを識別する識別情報を取り込んで、当該取り込んだ識別情報に基づいて、コンテンツデータを示すコンテンツデータ識別情報の一覧リストを、表示画面２００ａ上に表示させる。
また、ソート条件設定プログラム１４５ｃの実行により表示画面２００ａに表示されたソート条件設定画面において、ユーザによるソート機能の有効と、グループ機能の有効とが選択された場合に、前述したソートプログラム１４５ｄの実行により、ユーザによるリモコン等のキー入力部２の操作に基づいて、識別情報格納テーブル１４４２ａから、ハードディスク８１に記録された各コンテンツデータを識別する複数の識別情報が取り込まれ、取り込まれた識別情報から成るコンテンツデータ識別情報が、ソート条件設定プログラム１４５ｃの実行により設定されたソート条件としての識別情報のソート順番で順にソートされると、ＣＰＵ１４２は、当該ソートプログラム１４５ｄの実行によるソート結果に基づいて、ハードディスク８１に記録されたコンテンツデータを示すコンテンツデータ識別情報を、一覧リストにして表示画面２００ａ上にリスト表示させる。また、当該一覧リストのうち、ソート条件設定プログラム１４５ｃにより設定されたソート条件としての識別情報が同一のコンテンツデータ識別情報同士をグループ化して表示させる。
ＣＰＵ１４２は、かかるリスト表示プログラム１４５ｅの実行により、表示制御手段として機能する。
【００４２】
ここで、当該リスト表示プログラム１４５ｅについて、図３を用いてより具体的に説明する。
図３（ａ）は、ソート機能の無効が設定された場合において、リスト表示プログラム１４５ｅの実行に基づいて表示画面２００ａに表示された一覧リストを例示する図であり、図３（ｂ）は、ソート機能の有効及びグループ機能の有効が設定された場合において、リスト表示プログラム１４５ｅの実行に基づいて表示画面２００ａに表示された一覧リストを例示する図である。
【００４３】
まず、図３（ａ）を用いて、前述のソート条件設定画面において、ソート機能の無効が選択された場合について説明する。
ＣＰＵ１４２は、ユーザによるキー入力部２に備わる図示しないキーの押下操作により、ハードディスク８１に記録されたコンテンツデータを示すコンテンツデータ識別情報の一覧リストの表示を要求する入力操作信号が、リモコン信号受光部１３を介して制御部１４に入力されると、当該要求に応じて、データエリア１４４２の識別情報格納テーブル１４４２ａからデータを読み出し、ＯＳＤ回路１２において映像データにＯＳＤデータを付加させて、テレビジョン受像機２００に出力させることにより、識別情報格納テーブル１４４２ａより読み出したデータに基づくコンテンツデータ識別情報の一覧リストを、表示画面２００ａに表示させる。
当該一覧リストは、例えば図３（ａ）に示すように、複数の識別情報から成るコンテンツデータ識別情報が、ハードディスク８１への記録が行われた順序で一覧表示され、それぞれのコンテンツデータ識別情報が、「記録日」「曜日」「記録開始時刻」「放送チャンネル」「ジャンル」「放送番組名」等の複数の識別情報から構成されて、項目番号と対応付けられて表示されている。
【００４４】
次に、図３（ｂ）を用いて、前述のソート条件設定画面において、ソート機能の有効及びグループ機能の有効が選択された場合について説明する。
ＣＰＵ１４２は、例えば、ソート条件設定画面において、第１ソート条件が「ジャンル」（昇順）、第２ソート条件が「記録開始時刻」（昇順）、第３ソート条件が「記録日」（昇順）として設定された場合に、前述したソートプログラム１４５ｄの実行により、一回目のソート処理がジャンルを基準として行われ、次に、２回目のソート処理が記録開始時刻を基準として行われ、さらに、３回目のソート処理が記録日を基準として行われる。さらに、当該ソート処理によりそれぞれのコンテンツデータ識別情報が並び替えられると、第１ソート条件として設定されたジャンル別のグループに分割し、さらにそれぞれのグループ内のコンテンツデータ識別情報を、第２ソート条件として設定された記録開始時刻別のグループに分割させて、表示画面２００ａ上に一覧リスト表示させる。
当該一覧リストは、例えば図３（ｂ）に示すように、コンテンツデータを識別するための複数の識別情報から成るコンテンツデータ識別情報が、ジャンルが同一のグループに分割されて、ジャンルの昇順に並び替えられて表示されている。また、ジャンル別にグループ化された各グループ内のコンテンツデータ識別情報が、記録開始時刻の昇順に並び替えられて表示されるとともに、さらに、各グループ内における記録開始時刻が同一のコンテンツデータ識別情報毎に、記録日の昇順に並び替えられて表示されている。また、ジャンル別に分割されたグループ内において、記録開始時刻が同一のコンテンツデータ識別情報が複数存在し、且つ、異なる記録開始時刻のコンテンツデータ識別情報が存在する場合には、記録開始時刻が同一のコンテンツデータ識別情報のグループに分割されて表示されている。各コンテンツデータのコンテンツデータ識別情報は、「記録日」「曜日」「記録開始時刻」「放送チャンネル」「ジャンル」「放送番組名」等の複数の識別情報から構成されて、項目番号と対応付けられおり、さらに、グループ毎にグループ番号が付与されて表示されている。
【００４５】
記録データ選択プログラム１４５ｆは、例えば、ＣＰＵ１４２に、リスト表示プログラム１４５ｅの実行により表示画面２００ａに表示された一又は複数のコンテンツデータ識別情報或いはグループを選択することにより、後述するダビング制御プログラム１４５ｇの実行によりＤＶＤ９１に記録させるコンテンツデータを選択する機能を実現させるプログラムである。
具体的には、ＣＰＵ１４２は、リスト表示プログラム１４５ｅの実行により、表示画面２００ａにおいて表示されたハードディスク８１に記録されたコンテンツデータを示すコンテンツデータ識別情報が一覧表示された一覧リストにおいて、ハードディスク８１に記録されたコンテンツデータのうちからＤＶＤ９１にダビングさせるコンテンツデータを、リモコン等のキー入力部２の操作により、各コンテンツデータ識別情報又はグループを指定することにより、ユーザに選択させる。また、ＣＰＵ１４２は、リスト表示手段により表示されたグループが、複数のコンテンツデータのコンテンツデータ識別情報で構成されている場合に、当該グループをユーザに選択させることにより、複数のコンテンツデータを一括して選択させる。
ＣＰＵ１４２は、かかる記録データ選択プログラム１４５ｆを実行することにより、キー入力部２とともに選択手段として機能する。
【００４６】
例えば、図３（ａ）に示すように、ソートが行われていない一覧リストが表示画面２００ａに表示された場合に、ユーザは、左表のハードディスク８１に記録されたコンテンツデータの一覧リストから、ＤＶＤ９１にダビングしたいコンテンツデータのコンテンツデータ識別情報をキー入力部２のカーソルキー等の操作により指定する。指定されたコンテンツデータ識別情報は、右表に表示されて、ダビングするコンテンツデータとして選択される。
ここで、例えば、ユーザが、１０月２２日の２３時３０分、１０月２９日の２３時３０分、１１月５日の２３時３０分にそれぞれ記憶した「Ｓｐｏｒｔ△×」という放送番組と、１１月３日の２１時、１１月１０日の２１時にそれぞれ記録した「ドラマ××」という放送番組を選択してダビングしたい場合には、コンテンツ情報識別情報が記録が行われた順序で並べられた一覧リスト表示の中から、識別情報を参照して項目番号１、３、５、８、１０のコンテンツデータ識別情報をそれぞれ個別に探し出し、各コンテンツデータ識別情報をキー入力部２のカーソルキー等の操作により、個別に選択しなければならない。
【００４７】
一方、例えば、図３（ｂ）に示すように、ソートがおこなわれた一覧リストが表示画面２００ａに表示された場合に、ユーザは、左表のハードディスク８１に記録されたコンテンツデータの一覧リストから、ＤＶＤ９１にダビングしたいコンテンツデータをキー入力部２のカーソルキー等の操作により指定する。指定されたコンテンツデータ識別情報は、右表に表示されて、ダビングするコンテンツデータとして選択される。
ここで、例えば、ユーザが、上述した場合と同様に、１０月２２日の２３時３０分、１０月２９日の２３時３０分、１１月５日の２３時３０分にそれぞれ記憶した「Ｓｐｏｒｔ△×」という放送番組と、１１月３日の２１時、１１月１０日の２１時にそれぞれ記録した「ドラマ××」という放送番組を選択してダビングしたい場合には、ジャンル別に並び替えられたグループを参照して、スポーツのグループとドラマのグループを探す。各グループ内のコンテンツデータ識別情報は、それぞれ記録時間順に並び替えられて同一記録時間毎にグループ化され、さらには記録日に並び替えられているため、所望のコンテンツデータ識別情報を見つけ出すことが容易である。すなわち、ユーザは、グループ番号Ｂを参照することで項目番号１、３、８のコンテンツデータ識別情報を、グループ番号Ｃ−１を参照することで項目番号５、１０のコンテンツデータ識別情報を、容易に探し出すことができる。そして、ユーザは、グループ番号Ｂのグループと、グループ番号Ｃ−１のグループと、をキー入力部２のカーソルキー等の操作により指定すれば、指定されたグループ内に含まれるコンテンツデータ識別情報が右表に表示されて、ＤＶＤ９１にダビングするコンテンツデータとして選択されることとなる。なお、当該グループ化された一覧リストにおいても、コンテンツデータ識別情報をそれぞれ個別に指定可能である。
【００４８】
ダビング制御プログラム１４５ｇは、例えば、ＣＰＵ１４２に、ハードディスク８１に記録したコンテンツデータを、ＤＶＤ９１にダビングさせる機能を実現させるプログラムである。
具体的には、ＣＰＵ１４２は、当該ダビング制御プログラム１４５ｇの実行において、ハードディスク８１に記録されたコンテンツデータのうち、記録データ選択プログラム１４５ｆの実行により選択されたコンテンツデータを、ＨＤＤ部８においてハードディスク８１より読み出して、データプロセッサ７、エンコーダ６等により所定の処理を施して、ＤＶＤドライブ部９に出力し、当該コンテンツデータをＤＶＤ９１に記録させる。
例えば、図３（ａ）（ｂ）に示すように、ユーザにより項目番号１、３、５、８、１０のコンテンツデータがＤＶＤ９１にダビングするコンテンツデータとして設定され、「ダビングを開始する」というコマンドボタンがユーザによるキー入力部２のカーソルキー等の操作により押下されると、ＣＰＵ１４２は、それぞれのコンテンツデータをＨＤＤ部８のハードディスク８１から順次読み出して、ＤＶＤドライブ部９のＤＶＤ９１に記録させるダビング処理を開始する。
ＣＰＵ１４２は、かかるダビング制御プログラム１４５ｇを実行することにより、ダビング手段として機能する。
【００４９】
以上説明した本発明にかかるＨＤＤ内蔵ＤＶＤレコーダ１００によれば、ＣＰＵ１４２による抽出プログラム１４５ｂの実行により、ダビングの候補となるコンテンツデータから当該コンテンツデータを識別する複数の識別情報が抽出され、リスト表示プログラム１４５ｄの実行により、抽出された複数の識別情報から成るコンテンツデータ識別情報が一覧リストとして表示画面２００ａに表示される。また、ＣＰＵ１４２によるソート条件設定プログラム１４５ｃの実行により、当該一覧リストをソートするためのソート条件としての識別情報及びソート順番が設定され、ソートプログラム１４５ｄの実行により、当該ソート条件に従って、一覧リストがソートされる。さらに、リスト表示プログラム１４５ｅの実行により、一覧リストのうち、ソート条件設定プログラム１４５ｃの実行によりソート手段として設定された識別情報が同一のコンテンツデータ識別情報同士がグループ化されて表示画面２００ａに表示され、記録データ選択プログラム１４５ｆの実行により、当該グループの一を選択することにより、当該一のグループに含まれるコンテンツデータを一括して選択可能に構成されている。
従って、ユーザは、ダビングするコンテンツデータの内容に応じて、一覧リストをより適切な順序に並び替えることにより、所望のコンテンツデータを見つけ出すことが容易になるとともに、グループを選択することにより、ダビングするコンテンツデータをより容易に選択することが可能となって、一の記録媒体に記録済みのコンテンツデータを他の記録媒体にダビングさせる際に、所望のコンテンツデータを選択する作業を容易に行え、ＨＤＤ内蔵ＤＶＤレコーダ１００における操作性を向上させることができる。
【００５０】
なお、本発明は、上記実施の形態に形態に限られること無く、本発明の趣旨を逸脱しない範囲において、種々の改良並びに設計の変更が可能である。
例えば、本発明は、２つの記録媒体に記録可能な情報記録装置について説明したが、３つ以上の記録媒体に記録可能な情報記録装置であっても良い。
また、例えば、記録データ選択プログラム１４５ｆの実行において、キー入力部２のカーソルキー等の操作により、表示画面２００ａ上で選択したいグループ又はコンテンツデータ識別情報を選択することにより、ダビングするコンテンツデータを選択する例を用いて説明したが、キー入力部２の英数字キー等の操作により、グループ番号或いは項目番号を入力することにより、コンテンツデータを選択する設定であっても良い。
また、例えば、抽出プログラム１４５ｂの実行により、コンテンツデータ毎に「記録日」「曜日」「記録開始時刻」「放送チャンネル」「ジャンル」「放送番組名」等の識別情報が抽出される例を用いて説明したが、識別情報はこれらに限られることなく、「記録開始時刻〜記録終了時刻までの記録時間」「記録モード」等の他の識別情報を抽出しても良い。
また、例えば、ソート条件は３つに限られることなく、幾つであっても良く、ソート条件の数をユーザが設定できる構成であっても良い。
また、例えば、第１の記録媒体及び第２の記録媒体の両方が装置本体１に内蔵されていても良く、また、両方の記録媒体が装置本体１から着脱可能なものであっても良い。
また、リスト表示プログラム１４５ｅによるグループ化の方法は、複数或いは全ての識別情報が同一のコンテンツデータ識別情報同士のみをグループ化する設計であっても良い。
また、本実施形態では、アナログのコンテンツデータを受信して記録を行う場合について説明したが、アナログデータのみならず、デジタルデータを受信して記録可能に構成されていても良い。
【図面の簡単な説明】
【００５１】
【図１】装置全体の構成及び装置本体の要部構成を例示するグループ図である。
【図２】ソート条件設定プログラムの実行により、表示画面に表示されたソート条件設定画面を例示する図である。
【図３】リスト表示プログラムの実行に基づいて表示画面に表示された一覧リスト表示を例示する図である。
【符号の説明】
【００５２】
１００    ＨＤＤ内蔵ＤＶＤレコーダ（情報記録装置）
１        装置本体
２        キー入力部（選択手段）
５        抽出部（抽出手段）
８１      ハードディスク（第１の記録媒体、記録媒体）
９１      ＤＶＤ（第２の記録媒体、記録媒体）
１４２    ＣＰＵ（抽出手段、ソート条件設定手段、ソート手段、表示制御手段、選択手段、ダビング手段）
１４５ｂ  抽出プログラム（抽出手段）
１４５ｃ  ソート条件設定プログラム（ソート条件設定手段）
１４５ｄ  ソートプログラム（ソート手段）
１４５ｅ  リスト表示プログラム（表示制御手段）
１４５ｆ  記録データ選択プログラム（選択手段）
１４５ｇ  ダビング制御プログラム（ダビング手段）
２００ａ  表示画面（表示手段）
【図１】
2007220253.tif 000003
【図２】
2007220253.tif 000004
【図３】
2007220253.tif 000005